(57)【要約】【課題】  複数の外部の通話装置のいずれかと子機が通話しているとき、各外部の通話装置に速やかに連絡する。【解決手段】  住宅２内部に設置された親機４は、住宅２外部の携帯電話機１６ａ乃至１６ｃと、住宅２の内部または外部に設置された玄関子機６と、通話可能である。住宅の内部に設置されたパニック釦１２は、親機４と無線通話可能である。親機４は、携帯電話機１６ａ乃至１６ｃのいずれかと玄関子機６とが通話している状態において、パニック釦１２から呼び出しがあると、玄関子機６が現在通話している携帯電話機とパニック釦１２とを通話可能な状態とし、その通話終了後に、他の携帯電話機を呼び出して、パニック釦１２が残りの携帯電話機と通話可能にする。【選択図】        図１
2006295597.tif 000002
【特許請求の範囲】
【請求項１】
住宅の内部に設置され、住宅の外部の複数の外部通話装置と通話可能な親機と、
前記住宅の内部または外部に設置され、前記親機と通話可能な子機と、
前記住宅の内部または外部に設置された、前記親機と無線通話可能な緊急連絡用子機とを、
具備し、前記親機は、外部通話装置のいずれかと前記子機とが通話している状態において、前記緊急連絡用子機から呼び出しがあると、前記子機が現在通話している前記外部通話装置と前記緊急連絡用子機とを通話可能な状態とし、その通話終了後に、他の前記外部通話装置を呼び出して、前記緊急連絡用子機が、前記各外部通話装置と通話可能にするインターホン。
【請求項２】
住宅の内部に設置され、住宅の外部の複数の外部通話装置と通話可能な親機と、
前記住宅の内部または外部に設置され、前記親機と通話可能な子機と、
前記住宅の内部または外部に設置された、前記親機と無線通信可能な緊急連絡用子機とを、
具備し、前記親機は、外部通話装置のいずれかと前記子機とが通話している状態において、前記緊急連絡用子機から呼び出しがあると、前記子機が現在通話している前記外部通話装置に緊急情報を送信し、その後に、他の前記外部通話装置を呼び出して、前記緊急情報を送信するインターホン。
【請求項３】
請求項１または２記載のインターホンにおいて、前記緊急連絡用子機から呼び出しがあったとき、前記親機は、前記各外部通話装置が前記子機と非通話状態であると、予め定めた順序で前記各外部通話装置を呼び出すインターホン。
【請求項４】
請求項１または２記載のインターホンにおいて、前記親機は、他の前記外部通話装置の呼出を予め定めた順序で、既に通話済みのものを除いて行うインターホン。
【発明の詳細な説明】
【技術分野】
【０００１】
本発明は、インターホンに関し、特に住宅外部の通話装置と通話可能なものに関する。
【背景技術】
【０００２】
インターホンは、例えば住宅内部に設置された親機と、住宅の外部、例えば玄関に設置された子機との間で、通話を行うものである。ところで、インターホンを設置した住宅の住人が外出しているときに、来客があった場合に、外出先から来客と通話可能としたインターホンが、例えば特許文献１に開示されている。
【０００３】
この特許文献１の技術では、在宅の時には、在宅留守切換スイッチを在宅に切り換えて、玄関子機から呼び出しがあると、親機と玄関子機とで通話可能とし、留守の時には、在宅留守切換スイッチを留守に切り換えて、玄関子機から呼び出しがあると、親機は、予め定めた外部の通話装置、例えば携帯電話機に電話を掛け、親機を介して携帯電話機と玄関子機との間で通話可能とする。
【０００４】
【特許文献１】特開平９−１６３０００号公報
【発明の開示】
【発明が解決しようとする課題】
【０００５】
ところで、住宅内に病人等がいる場合であって、病人以外の人が住宅内にいない場合、この病人の病状等の変化により緊急にだれか外部の人に連絡をとりたいことがある。或いは、留守の時に住宅に侵入者があった場合に、その旨を外部の人に連絡する必要がある。これらの連絡が必要な場合、特許文献１の技術を利用したものでは、玄関子機に加えてこれら緊急連絡用の子機を設置し、留守の時には、緊急用子機或いは玄関子機と携帯電話機とで通話することが考えられる。しかも、連絡をとる携帯電話機としては、１台だけでなく複数台とすることが望まれることもある。このような技術によっても、例えば玄関子機と或る携帯電話機とが通話している状態において、緊急用子機からの呼出があった場合、この緊急用子機からの呼出をどのように処理するかが問題である。
【０００６】
本発明は、複数の外部の通話装置のいずれかと子機が通話しているとき、各外部の通話装置に速やかに連絡することができるインターホンを提供することを目的とする。
【課題を解決するための手段】
【０００７】
本発明の一態様によるインターホンは、親機と子機とを備えている。親機は、住宅の内部に設置され、住宅の外部の複数の外部通話装置と通話可能である。外部通話装置としては、携帯電話機や、予め定めた固定電話機等がある。子機は、住宅の内部または外部に設置され、前記親機と通話可能である。この通話は無線で行うこともできるし、有線で行うこともできる。前記住宅の内部または外部には、前記親機と無線通話可能な緊急連絡用子機が設置されている。緊急連絡用子機には、例えば住宅内部の病人等の傍に設置し、病人等の操作によって呼出を行うものがある。親機は、外部通話装置のいずれかと前記子機とが通話している状態において、前記緊急連絡用子機から呼び出しがあると、現在子機が通話している前記外部通話装置と緊急連絡用子機とが通話可能な状態とする。そして、その通話が終了すると、他の外部通話装置を順に呼び出して、緊急連絡用子機が、各外部通話装置と連絡できるようにする。
【０００８】
このように構成すると、緊急連絡用子機から呼出があったとき、いずれかの外部通話装置が子機と通話中であると、その通話中である外部通話装置と緊急連絡用子機とを通話可能とするので、緊急事態の発生を即座に少なくとも１つの外部通話装置に連絡することができる。しかも、他の外部通話装置に対しても、その後に呼出が行われるので、全ての外部通話装置との通話できる可能性が高くなる。
【０００９】
なお、本発明の他の態様のインターホンは、上述したのと同様に、親機と子機と複数の外部通話装置と、緊急連絡用子機とを備えている。緊急連絡用子機には、例えば住宅のドアや窓に設けたセンサがこの扉や窓が開かれたことを検出したとき、または住宅の所定の領域に設けたセンサが来訪者を検出したときに、呼出を行うものを使用することができる。親機は、外部通話装置のいずれかと前記子機とが通話している状態において、前記緊急連絡用子機から呼び出しがあると、現在子機が通話している前記外部通話装置に緊急情報を送信し、その後に、他の外部通話装置を順に呼び出して、それぞれ緊急情報を送信する。
【００１０】
このように構成すると、緊急連絡用子機から呼出があったとき、いずれかの外部通話装置が子機と通話中であると、その通話中である外部通話装置に緊急情報を送信するので、緊急事態の発生を即座に少なくとも１つの外部通話装置に連絡することができる。しかも、他の外部通話装置に対しても、その後に呼出が行われ、緊急情報が送信されるので、全ての外部通話装置に緊急情報を送信できる可能性が高くなる。
【００１１】
上記の両態様いずれにおいても、前記緊急連絡用子機から呼び出しがあったとき、前記親機は、前記各外部通話装置が前記子機と非通話状態であると、予め定めた順序で前記各外部通話装置を呼び出すものとすることができる。
【００１２】
このように構成すると、いずれの外部通話装置も子機と非通話状態では、緊急連絡用子機からの呼出があると、予め定めた順序で呼び出すが、或る外部通話装置が子機と通話中であると、上記予め定めた順序とは無関係に、子機と通話中である外部通話装置と直ちに通話することが可能となり、迅速な連絡を行うことができる。
【００１３】
上記の両態様何れにおいても、前記親機は、他の前記外部通話装置の呼出を予め定めた順序で、既に通話済みのものを除いて行うものとできる。
【００１４】
このように構成すると、まず確実に通話可能な外部通話装置と通話することができる上に、その後には優先順序の高い、即ち速く連絡を取りたい外部通話装置から順に通話を目指すことができる。
【発明の効果】
【００１５】
以上のように、このインターホンによれば、緊急連絡を外部通話装置と行う必要が生じた場合、最も容易に連絡をとることができる外部通話装置とまず連絡をとり、その後に、他の外部通話装置と連絡をとることができる。
【発明を実施するための最良の形態】
【００１６】
本発明の一実施形態のインターホンは、図１に示すように、親機４と複数の子機とを備えている。親機４は、住宅２内に設置されている。また、住宅の外部、例えば玄関には、各子機のうち外部子機、例えば玄関子機６が設置されている。さらに、住宅の外部、例えば不法侵入者が侵入しやすい場所には、緊急連絡用子機のうち来訪者検知用子機、例えばセンサ子機８が設置されている。センサ子機８は、異なる場所ごとにそれぞれ設置することもできる。また、住宅２内の異なる場所には、各子機のうち室内子機１０がそれぞれ設置されている。この実施の形態では、３台の室内子機１０が設置されている。その台数は任意に変更することができる。さらに、住宅２内の要介護者がいる場所には、緊急連絡用子機、例えばパニック釦１２が配置されている。パニック釦１２は、任意の場所に設置することができる。
【００１７】
親機４は、玄関子機６、センサ子機８、室内子機１０、パニック釦１２とは無線によって通信回線を構成することができる。この無線による通信回線は、少ないチャンネルを使用したもので、例えば室内子機１０同士が通話を行っているような場合、他の子機からの呼出が親機４に伝われないことがある。更に、親機４は、外部の公衆回線、例えば電話回線１４を介して複数の外部通話装置、例えば携帯電話機１６ａ、１６ｂ、１６ｃと通話可能に構成されている。なお、外部通話装置としては携帯電話機の他に、固定電話機を使用することもできるし、電話回線以外にインターネットを使用することもできる。外部通話装置の台数も複数台であれば、任意の台数とすることができる。
【００１８】
親機４には、警報ランプ４ａ、表示パネル４ｂ、スピーカ４ｃ、室内子機釦４ｄ、４ｄ、４ｄ、転送／外出釦４ｅ、在宅釦４ｆ、通報／停止釦４ｇ、一斉呼出／応答釦４ｈ、マイク４ｉ、アンテナ４ｊが設けられている。なお、図示していないが、警報音及びチャイム音発生装置も備えている。
【００１９】
玄関子機６には、呼出釦６ａ、マイク６ｂ、スピーカ６ｃ、アンテナ（図示せず）が設けられている。センサ子機８には、センサ８ａ、送受信機８ｂ、アンテナ（図示せず）が設けられている。センサ８ａとしては、例えば住宅２のドアまたは窓が開かれたことを検知するものや、住宅２の特定の場所、例えば門や玄関等に来訪者があったことを検知するものを使用することができる。
【００２０】
室内子機１０には、警報ランプ１０ａ、スピーカ１０ｂ、子機釦１０ｃ、通報／停止釦１０ｄ、呼出／応答釦１０ｅ、マイク１０ｆ、アンテナ１０ｇが設けられている。なお、図示していないが、警報音及びチャイム音発生装置も室内子機１０には設けられている。
【００２１】
パニック釦１２には、緊急釦１２ａ、スピーカ１２ｂ、マイク１２ｃ、アンテナ１２ｄが設けられている。
【００２２】
親機４、玄関子機６、センサ子機８、室内子機１０及びパニック釦１２は、それぞれ無線送受信機と、制御手段、例えばマイクロコンピュータを備えている。
【００２３】
このインターホンでは、図２に示すように、パニック釦１２の緊急釦１２ａが操作されると（ステップＳ２）、パニック釦１２は、親機４に呼出信号を送信する（ステップＳ４）。親機４から応答があるかパニック釦１２は判断し（ステップＳ６）、この判断の答えがイエスであると、親機４との通話動作に入る（ステップＳ８）。
【００２４】
ステップＳ６の判断の答えがノーの場合、パニック釦１２は、予め定めた第１の時間、例えば１分の経過を待ち（ステップＳ１０）、その後に親機４へ呼出信号を送信する（ステップＳ１２）。親機４から応答があるかパニック釦１２は判定し（ステップＳ１４）、応答があれば、ステップＳ８を実行して、親機４との通話動作に入る。
【００２５】
この判断の答えがノーの場合、パニック釦１２は、予め定めた第２の時間、例えば３０秒の経過を待ち（ステップＳ１６）、その後に親機４へ呼出信号を送信する（ステップＳ１８）。親機４から応答があるかパニック釦１２は判定し（ステップＳ２０）、応答があると、ステップＳ８を実行して、親機４との通話動作に入る。この判断の答えがノーの場合には、待機状態に入る（ステップＳ２２）。このようにパニック釦１２の緊急釦が１２ａが操作されると、親機４が応答するまで、複数回の呼出が時間をおいて行われる。
【００２６】
なお、室内子機１０の通報／停止釦１０ｄが操作された場合にも、室内子機１０は、図２のフローチャートで示すように動作をする。
【００２７】
また、センサ子機８が侵入者等を検知すると、図３に示すように、親機４に呼出信号を送信する（ステップＳ２４）。親機４から応答があるかセンサ子機８は判断し（ステップＳ２６）、この判断の答えがイエスであると、センサ子機８は停止する（ステップＳ２８）。
【００２８】
ステップＳ２６の判断の答えがノーの場合、センサ子機８は、予め定めた第１の時間、例えば１分の経過を待ち（ステップＳ３０）、その後に親機４へ呼出信号を送信する（ステップＳ３２）。親機４から応答があるかセンサ子機８は判定し（ステップＳ３４）、応答があれば、ステップＳ２８を実行する。
【００２９】
この判断の答えがノーの場合、センサ子機８は、予め定めた第２の時間、例えば３０秒の経過を待ち（ステップＳ３６）、その後に親機４へ呼出信号を送信する（ステップＳ３８）。親機４から応答があるかセンサ子機８は判定し（ステップＳ４０）、応答があると、ステップＳ２８を実行する。この判断の答えがノーの場合には、待機状態に入る（ステップＳ４２）。このようにセンサ子機８が侵入者を検知すると、親機４が応答するまで、複数回の呼出が時間をおいて行われる。
【００３０】
また、玄関子機６が呼出を行うと、玄関子機６は図４にフローチャートで示す処理を行う。玄関子機６の呼出釦６ａが操作されると（ステップＳ４４）、玄関子機６は、親機４に呼出信号を送信する（ステップＳ４６）。親機４から応答があるか玄関子機６が判断し（ステップＳ４８）、この判断の答えがイエスの場合、親機との通話動作を行う（ステップＳ５０）。ステップＳ４８の判断の答えがノーの場合、一定時間経過したか判断し（ステップＳ５２）、その判断の答えがノーの場合、再びステップＳ４８を実行する。またステップＳ５２の判断の答えがイエスの場合、玄関子機６は待機状態となる（ステップＳ５４）。このように玄関子機６は、呼出釦６ａを操作した後、一定時間の間に親機４から応答があると、親機４と通話が行えるが、一定時間の間に親機４からの応答が無い場合には待機状態となる。
【００３１】
また、室内子機１０がいずれかの子機釦１０ｃまたは呼出／応答釦１０ｅを操作して、他の室内子機または親機４の呼出を行うと、室内子機１０は、図５にフローチャートで示すような処理を行う。室内子機１０において、子機釦１０ｃまたは呼出／応答釦１０ｅが操作される（ステップＳ５６）と、室内子機１０は親機４に呼出信号を送信する（ステップＳ５８）。そして、親機４から応答があったか判断する（ステップＳ６０）。この判断の答えがイエスの場合、親機４とまたは親機４を介して他の室内子機１０と通話動作を行う（ステップＳ６２）。
【００３２】
ステップＳ６０における判断の答えがノーの場合、一定時間経過したか判断し（ステップＳ６８）、この判断の答えがノーの場合には、再びステップＳ６０を実行する。そしてステップＳ６８の判断の答えがイエスの場合には、待機状態となる（ステップＳ７０）。このように室内子機１０は、子機釦１０ｃまたは呼出／応答釦１０ｅを操作した後、一定時間の間に親機４から応答があると、親機４または親機４を介して他の室内子機１０と通話が行えるが、一定時間の間に親機４からの応答が無い場合には待機状態となる。
【００３３】
上記のようにして、屋外子機６、センサ子機８、室内子機１０またはパニック釦１２からの呼出があると、親機４は、図６（ａ）または（ｂ）のフローチャートで示すように動作する。即ち、図６（ａ）に示すように、パニック釦１２の緊急釦１２ａまたは室内子機１０の通報／停止釦１０ｄが操作されたことにより緊急呼出信号を親機４が受信する（ステップＳ６８）と、パニック警報動作を行う（ステップＳ７０）。
【００３４】
パニック警報動作では、図７に示すように、親機４は全室内子機１０にパニック信号を送信する（ステップＳ７２）。これによって、各室内子機１０は、警報ランプ１０ａを点滅動作させ、所定時間、例えば１分間の警報音を発生する。ステップＳ７２に続いて、親機４は、警報ランプ４ａを点滅動作させ、所定時間、例えば１分間の警報音を発生する（ステップＳ７４）。これら警報ランプ４ａ及び警報音発生装置が、呼出報知手段に相当する。
【００３５】
そして、親機４が予め登録されている複数の登録先、例えば携帯電話機１６ａ、１６ｂ、１６ｃのうちいずれかと通話中であるかを判断する（ステップＳ７６）。即ち、後述する外出モードにおいて親機４を介して玄関子機６がいずれかの携帯電話機と通話しているか判断する。なお、この登録先には、登録する際に優先順位が付けられており、例えば携帯電話機１６ａの優先順位が最も高く、次に携帯電話機１６ｂの優先順位が高く、携帯電話機１６ｃが最も優先順位が低く設定されているとする。
【００３６】
ステップＳ７６の判断の答えがイエスの場合、親機４は、パニック釦１２または通報／停止釦１０ｄが操作された室内子機１０に応答信号を、室内子機１０に決定信号を送信し（ステップＳ７８）、親機４は、この通話中の登録先を通報済みと記憶する（ステップＳ８０）。これに続いて、この登録先とパニック釦１２または通報／停止釦１０ｄが操作された室内子機１０との間で通話が行われる（ステップＳ８２）。この通話は、通話終了の指示があった場合、或いは予め定めた時間が経過したときに終了される。
【００３７】
上記のようにして通話が終了した場合、或いはステップＳ７６においていずれかの登録先と玄関子機６とが通話中でないと判断されると、親機４が応答しているか判断される（ステップＳ８４）。親機４が応答していると（ステップＳ８４の判断の答えがイエス）、親機４は、パニック釦１２または通報／停止釦１０ｄが操作された室内子機１０に応答信号を、室内子機１０に決定信号を送信し（ステップＳ８６）、これに続いて、この登録先とパニック釦１２または通報／停止釦１０ｄが操作された室内子機１０との間で通話が行われる（ステップＳ８８）。この通話も、通話終了の指示があった場合、或いは予め定めた時間が経過したときに終了される。
【００３８】
これに続いて、登録先指定手段、例えば各登録先を指定するカウンタｎの値を１とし（ステップＳ９０）、このカウンタで指定された登録先が既に通報済みであるか判断する（ステップＳ９２）。この判断の答えがノーの場合には、カウンタｎによって指定される登録先に電話をかける（ステップＳ９４）。従って、たとえ親機４が応答したとしても、予め登録されている登録先への呼出が行われる。
【００３９】
カウンタｎの値が１の場合には上述したように優先順位が最も高い携帯電話機１６ａに電話を掛け、カウンタｎの値が２の場合には優先順位が２番目に高い携帯電話機１６ｂに電話を掛け、カウンタｎの値が３の場合には優先順位が最も低い携帯電話機１６ｃに電話を掛ける。
【００４０】
ステップＳ９４に続いて、掛けた電話から応答があるか判断する（ステップＳ９６）。この判断の答えがイエスであると、通話を行う（ステップＳ９８）。この通話は、上述したステップＳ７８、Ｓ８０、Ｓ８２と同様に、親機４が、パニック釦１２に応答信号を、室内子機１０に決定信号を送信し、親機４は、この応答のあった登録先を通報済みと記憶し、この登録先とパニック釦１２との間で通話を行う。この通話は、通話終了の指示があった場合、或いは予め定めた時間が経過したときに終了される。
【００４１】
この通話の終了に続いて或いはステップＳ９６の判断の答えがノーの場合、即ち応答がない場合には、カウンタｎの値を１つ増加させ（ステップＳ１００）、ｎの値が全ての登録先の数、この実施の形態の場合３よりも１つ大きい数以上であるか判断する（ステップＳ１０２）。この判断の答えがノーの場合には、再びステップＳ９４から実行する。
【００４２】
従って、仮にパニック釦１２または通報／停止釦１０ｄが操作された室内子機１０からの呼出があったときに、玄関子機６と携帯電話機１６ｂとが通話中であると、パニック釦１２または通報／停止釦１０ｄが操作された室内子機１０は優先順位が２番目である携帯電話機１６ｂとまず通話し、その後に携帯電話機１６ａの呼出が行われ、次に携帯電話機１６ｂをとばして携帯電話機１６ｃの呼出が行われる。
【００４３】
ステップＳ１０２の判断の答えがイエスになると、即ち全ての登録先に電話が掛けられると、呼出回数カウント手段、例えばリダイヤル回数をカウントするカウンタｍの値を１増加させる（ステップＳ１０３）。但し、このカウンタｍは初期設定において０に設定されている。次いで、このカウンタｍの値が予め設定された呼出回数Ｍ以上であるか判断し（ステップＳ１０４）、この判断の答えがノーの場合には、ステップＳ８４から再び実行する。
【００４４】
例えば、１回目の各携帯電話機１６ａ乃至１６ｃへの呼出において、上述した携帯電話機１６ｂとしか通話が行えなかった場合には、２回目には携帯電話機１６ａ、１６ｃに対して呼出が行われ、これら呼出において携帯電話機１６ａと通話が行えると、３回目には携帯電話機ｃのみの呼出が行われる。以下、予め定めた呼出回数Ｍまで携帯電話機１６ｃに対する呼出が行われる。呼出回数Ｍに達するまでに携帯電話機１６ｃが応答すると、以後、カウンタｍの値はＭまで１つ増加していくが、携帯電話機１６ｃへの呼出は行われない。これはステップＳ９２においてカウンタｎが指定する携帯電話機が通報済みであるか否かを判定しているからである。
【００４５】
ステップＳ１０４において、呼出回数がＭ回以上であると判断されると、このパニック警報動作の処理が終了し、親機４は待機状態となり、パニック釦１２または通報／停止釦１０ｄが操作された室内子機１０はスリープ状態となる。このとき、カウンタｍの値は０とされる。
【００４６】
図６（ｂ）に戻って親機４がセンサ子機８、玄関子機６または室内子機１０からの呼出信号を受信したとき（ステップＳ１０５）、呼出信号がセンサ子機８からのものか判断する（ステップＳ１０６）、その判断の答えがイエスの場合、センサ警報動作を行う（ステップＳ１０８）。ステップＳ１０６の判断の答えがノーの場合、玄関子機６からの呼出か判断し（ステップＳ１１０）、その判断の答えがイエスの場合には、玄関子機呼出動作を行い（ステップＳ１１２）、その判断の答えがノーの場合には、室内子機呼出動作を行う（ステップＳ１１４）。
【００４７】
図８に示すようにセンサ警報動作では、親機４が在宅モードであるか判断する（ステップＳ１１６）。例えば、親機４の在宅釦４ｆが操作され、転送／外出釦４ｅが操作されていないか判断する。この判断の答えがイエスの場合、在宅モードセンサ警報オン動作が行われ（ステップＳ１１８）、この判断の答えがノーの場合には、在宅釦４ｆが操作されずに、転送／外出釦４ｅが操作されて、外出モードであるので、外出モードセンサ警報オン動作が行われる（ステップＳ１２０）。
【００４８】
在宅モードセンサ警報オン動作では、親機４は全室内子機１０へセンサ警報信号を送信し、各室内子機１０は、警報ランプ１０ａを点滅動作させ、警報音を所定時間、例えば一分間発生させる。同時に親機４はそれの警報ランプ４ａを点滅させ、警報音を所定時間例えば一分間発生させる。
【００４９】
外出モードセンサ警報オン動作では、図９に示すように、親機４は全室内子機１０へセンサ警報信号を送信する（ステップＳ１２２）。これによって、各室内子機１０はセンサ警報動作を行う（ステップＳ１２４）。このセンサ警報動作では、各室内子機１０は、警報ランプ１０ａを点滅動作させ、警報音を所定時間、例えば一分間動作させる。ステップＳ１２２に続いて、親機４は、警報ランプ４ａを点滅動作させ、所定時間、例えば一分間警報を発生する（ステップＳ１２６）。
【００５０】
次に、登録先に電話を掛ける（ステップＳ１２８）。なお、この登録先は、上述した携帯電話機１６ａ、１６ｂ、１６ｃであるが、その優先順位は、パニック動作の際の優先順位と同一に設定することもできるし、異なる優先順位とすることもできる。例えば携帯電話機１６ｃを最も優先順位を高くし、２番目に携帯電話機１６ｂを優先順位を高くし、携帯電話機１６ａを最も優先順位を低くしてもよい。登録先から応答があるか判断し（ステップＳ１３０）、その判断の答えがイエスの場合には、親機４はセンサ子機８に応答信号を、室内子機１０に決定信号を送信し、かつ緊急情報、例えば侵入者ありの音声情報を登録先に報知する（ステップＳ１３２）。侵入者ありの音声情報は親機４が備えるＲＯＭ（図示せず）に記憶されている音声データをアナログ化したものである。
【００５１】
ステップＳ１３０の判断の答えがノーの場合には、規定回数登録先にコールしたか判断する（ステップＳ１４４）。その判断の答えがノーの場合には、ステップＳ１３０を再び実行する。ステップＳ１４４の判断の答えがイエスの場合、またはステップＳ１３２に続いて、即ち、登録先が応答しない場合、または登録先が応答して侵入者ありを登録先に通知した後に、次の登録先があるか判断する（ステップＳ１４６）。この判断の答えがイエスの場合には、次の登録先に電話を掛け（ステップＳ１４８）、その後にステップＳ１３０を実行する。従って、次の登録先でも電話を取ると、侵入者ありの音声情報が送信される。
【００５２】
ステップＳ１４６の判断の答えがノーの場合、即ち、全ての登録先に電話が終了すると、これら登録先に未応答のものがあるか判断する（ステップＳ１５０）。この判断の答えがノーの場合には、親機４を待機状態、センサ子機８はスリープ状態に戻る（ステップＳ１５２）。ステップＳ１５０の判断の答えがイエスの場合、まだ未応答の登録先があるので、未応答の登録先に規定回数リダイヤルしたか判断し（ステップＳ１５４）、その判断の答えがイエスの場合には、ステップＳ１５２を実行し、ステップＳ１５４の判断の答えがノーの場合、ステップＳ１４８を実行する。
【００５３】
従って、各登録先が応答するまで、所定リダイヤル回数にわたって、各登録先に電話が掛けられる。但し、応答した登録先については電話が掛けられない。このようにして各登録先に確実に侵入者がある旨を報知できる。
【００５４】
玄関子機６からの呼出の際に親機４が実行する玄関子機呼出動作では、図１０に示すように親機が在宅モードであるか判断する（ステップＳ１５６）。この判断の答えがイエスの場合、在宅モードが実行され（ステップＳ１５８）、この判断の答えがノーの場合、外出モードが実行される（ステップＳ１６０）。
【００５５】
在宅モードでは、図１１に示すように、親機４は、全室内子機１０に玄関子機６から呼出信号を受信したことを表す信号を送信し、チャイム音を数回発生させる（ステップＳ１６２）。これに応動して、各室内子機１０では、室内子機１０の玄関子機呼出操作が行われ（ステップＳ１６４）、具体的にはチャイム音が鳴り、警報ランプ１０ａが点滅する。ステップＳ１６２に続いて、親機４の一斉呼出／応答釦４ｈが操作されたか判断する（ステップＳ１６６）。この判断の答えがイエスの場合には、親機４は玄関子機６へ応答信号を送信し、室内子機１０に決定信号を送信する（ステップＳ１６８）。これによって、各室内子機１０の警報ランプ１０ａは点滅動作を中止する。ステップＳ１６８に続いて、親機４と玄関子機６との間で通話が行われる。
【００５６】
ステップＳ１６６の判断の答えがノーの場合、親機４は、いずれかの室内子機１０からその呼出／応答釦１０ｅを操作した旨を表す信号を受信したか判断する（ステップＳ１７２）。この判断の答えがイエスの場合には、親機４は玄関子機６へ応答信号を送信する（ステップＳ１７４）。これに続いて、室内子機１０と玄関子機６との間に親機４を介して通話が行われる（ステップＳ１７６）。
【００５７】
ステップＳ１７２の判断の答えがノーの場合、予め定めた規定呼出時間が経過しているか判断し（ステップＳ１７８）、この判断の答えがノーの場合にはステップＳ１６６から再び実行し、この判断の答えがイエスの場合には、親機４、室内子機１０は待機状態に、玄関子機６はスリープ状態に戻る（ステップＳ１８０）。
【００５８】
従って、在宅モードでは、規定呼出時間の間に、親機４または室内子機１０のうちいずれか先に応答したものが、玄関子機６と通話可能となり、規定呼出時間内に親機４も室内子機１０のいずれもが応答しないと、親機４、室内子機１０は待機状態に、玄関子機６はスリープ状態に戻る。
【００５９】
図１２に示すように、外出モードでは、親機４は、チャイム音を数回発生し（ステップＳ１８２）、登録先に電話を掛ける（ステップＳ１８４）。この登録先は、上述した携帯電話機１６ａ、１６ｂ、１６ｃであるが、その優先順位は、パニック動作の際や外出モードセンサ警報オン動作の場合の優先順位と同一に設定することもできるし、異なる優先順位とすることもできる。例えば携帯電話機１６ｂを最も優先順位を高くし、２番目に携帯電話機１６ｃを優先順位を高くし、携帯電話機１６ａを最も優先順位を低くしてもよい。次に、登録先が応答したか判断し（ステップＳ１８６）。その判断の答えがイエスの場合には、親機４は玄関子機６へ応答信号を送信し（ステップＳ１８８）、登録先と玄関子機６との間で通話が行われる（ステップＳ１９０）。
【００６０】
ステップＳ１８６の判断の答えがノーの場合、規定回数登録先をコールしたか判断し（ステップＳ１９２）。その判断の答えがノーの場合には、ステップＳ１８６を実行する。この判断の答えがイエスの場合には、次の登録先があるか判断し（ステップＳ１９４）、その判断の答えがイエスの場合には、次の登録先に電話をかけ（ステップＳ１９６）、ステップＳ１８６を再び実行する。ステップＳ１９４の判断の答えがノーの場合、即ち全ての登録先に電話をかけた場合、未応答の登録先があるか判断する（ステップＳ１９８）。この判断の答えがノーの場合、親機４は待機状態となり、玄関子機６はスリープ状態となる（ステップＳ２００）。ステップＳ１９８の判断の答えがイエスの場合には、未応答の登録先に規定回数リダイヤルしたか判断し（ステップＳ２０２）、その判断の答えがイエスの場合にはステップＳ２００を実行し、その判断の答えがノーの場合には、ステップＳ１９６を実行する。
【００６１】
従って、外出モードでは、玄関子機６から呼出があると、全ての登録先が応答するまで、応答したものを除いて繰り返し呼出が行われる。但し、規定回数リダイヤルしても、応答しない場合には、親機４は待機状態に、玄関子機６はスリープ状態になる。なお、この外出モードと、先に示したパニック警報動作とでは、パニック警報動作の優先順位が高く、たとえこの外出モードが実行中であっても、パニック釦１２または室内子機１０から緊急呼出信号が送信されると、パニック警報動作が実行される。そして、この外出モードにおいて玄関子機６といずれかの携帯電話機とが通話していると、その携帯電話機と上述したように緊急呼出信号を発生したパニック釦１２または室内子機１０との通話が行われる。
【００６２】
図６に示す室内子機呼出動作（ステップＳ１１４）では、例えば図１３に示すように、親機４は、親機４の一斉／応答押釦４ｈが操作されたか判断し（ステップＳ２０４）、この判断の答えがイエスの場合には、親機４は呼び出した室内子機１０に応答信号を送信し（ステップＳ２０６）、その室内子機１０と親機４との間に通話路を形成し、通話を行う（ステップＳ２０８）。そして、通話終了の指示が親機４または室内子機１０からあったか判断し（ステップＳ２１０）、その判断の答えがノーの場合には、通話開始から所定時間、例えば１分が経過したか判断する（ステップＳ２１２）。この判断の答えがノーの場合には、ステップＳ２１０を再び実行する。ステップＳ２１０またはＳ２１２の判断の答えがイエスになったとき、通話路を閉じて、通話を終了させる（ステップＳ２１４）。
【００６３】
ステップＳ２０４の判断の答えがノーの場合、即ち親機４の一斉／応答押釦４ｈが操作されていない場合には、他の室内子機１０の呼出／応答釦１０ｅが操作されているか判断し（ステップＳ２１６）、その判断の答えがイエスの場合には、親機４は呼び出した室内子機へ応答信号を送信し（ステップＳ２１８）、呼び出した室内子機１０と呼び出された室内子機１０との間に親機４を介して通話路を形成する（ステップＳ２２０）。そして、ステップＳ２１０以降を実行する。
【００６４】
このように子機間通話においても、通話終了の指示が与えられるか、或いは通話が行われていても所定時間が経過すると、自動的に通話が終了する。
【００６５】
ステップＳ２１６の判断の答えがノーの場合には、規定呼出時間が経過したか判断し（ステップＳ２２２）、その判断の答えがノーの場合には、ステップＳ２０４から再び実行する。この判断の答えがイエスの場合には、親機４及び室内子機１０は待機状態に戻る（ステップＳ２２４）。
【００６６】
親機４と室内子機１０とが通話しているとき、または親機４を介して室内子機１０同士が通話しているとき、室内子機同士の通話にこのインターホンが使用可能な周波数帯が使用されているので、パニック釦１２または室内子機１０において通報／停止釦１０ｄが操作されたものからの緊急呼出や、センサ子機８からの侵入者検知の呼び出しに、親機４は応答することができない。そこで、上述したように、親機４と室内子機１０との通話時間、親機４を介しての室内子機１０同士の通話の時間は一定時間例えば１分（パニック釦８やセンサ子機８の第１の時間に等しい時間）に制限されており、かつ図２及び図３に示したように、パニック釦１２等やセンサ子機８は、親機４から応答が無くても親機４に対して再度呼び出しを自動的に第１の時間経過後及び第２の時間経過後に掛けて、パニック釦１２等やセンサ子機８からの親機の呼出が成功するように構成している。
【００６７】
上記の実施の形態では、緊急呼出信号をパニック釦１２または室内子機１０が発生したときに、携帯電話機と玄関子機６とが通話中であると、図７に示したようにその携帯電話機とパニック釦１２または室内子機１０とがまず通話して、その後に残りの外部通話装置を呼び出し、通話するように構成したが、例えばセンサ子機８からの呼出があったとき、携帯電話機と玄関子機６とが通話中であると、図７に示したのと同様に、その携帯電話機に親機４から緊急情報である侵入者ありの音声情報を報知し、その後に残りの外部通話装置を呼び出し、応答すると親機４から侵入者ありの音声情報を報知するように構成することもできる。この場合も、図７に示したのと同様に、残りの携帯電話機のうち応答しないものには再び呼出を行い、例えば優先順位の高いものから順に呼出、応答があると上記音声情報を報知し、応答がない場合には、全ての携帯電話機に電話を掛けた後、応答していない携帯電話機を優先順位の高いものから呼び出すことを、予め定めた呼出回数だけ行う。この場合、センサ子機８に集音マイクも設けておいて、上述したように緊急情報を親機４から携帯電話機に送信した後、センサ子機８と携帯電話機とを親機４を介して通話可能な状態として、センサ子機８の集音マイクで集音した音声信号を携帯電話機に送信するように構成することもできる。
【図面の簡単な説明】
【００６８】
【図１】本発明の１実施形態のインターホンのブロック図である。
【図２】図１のインターホンにおけるパニック釦の動作フローチャートである。
【図３】図１のインターホンにおけるセンサ子機の動作フローチャートである。
【図４】図１のインターホンにおける玄関子機の動作フローチャートである。
【図５】図１のインターホンにおける室内子機の動作フローチャートである。
【図６】図１のインターホンにおける親機の動作フローチャートである。
【図７】親機４の動作におけるパニック警報動作の動作フローチャートである。
【図８】親機４の動作におけるセンサ警報動作の動作フローチャートである。
【図９】親機４の動作における外出モードセンサ警報オン動作の動作フローチャートである。
【図１０】親機４の動作における玄関子機呼出動作の動作フローチャートである。
【図１１】親機４の動作における在宅モードの動作フローチャートである。
【図１２】親機４の動作における外出モードの動作フローチャートである。
【図１３】親機４の動作における室内子機呼出動作の動作フローチャートである。
【符号の説明】
【００６９】
４  親機
６  外部子機
８  センサ子機
１０  室内子機
１２  パニック釦（緊急用子機）
【図１】
2006295597.tif 000003
【図２】
2006295597.tif 000004
【図３】
2006295597.tif 000005
【図４】
2006295597.tif 000006
【図５】
2006295597.tif 000007
【図６】
2006295597.tif 000008
【図７】
2006295597.tif 000009
【図８】
2006295597.tif 000010
【図９】
2006295597.tif 000011
【図１０】
2006295597.tif 000012
【図１１】
2006295597.tif 000013
【図１２】
2006295597.tif 000014
【図１３】
2006295597.tif 000015